(57)【特許請求の範囲】
【請求項１】
印字区間の入口側の第１ガイドローラから出口側の第２ガイドローラへの用紙の走行路内に１個又は複数個の第３ガイドローラが配置され、かつ、前記走行路内に、用紙の走行方向に多数個のインクジェットヘッドが配列され、駆動源に連結した第２ガイドローラによって、印字区間での用紙の走行を行うようにしてなるインクジェットプリンタにおいて、第１ないし第３ガイドローラからなる前記印字区間の全てのガイドローラと前記印字区間の全てのインクジェットヘッドとは、前記走行路を基準にして反対側にあり、第３ガイドローラの軸心は、第１ガイドローラの軸心と第２ガイドローラの軸心とを結ぶ線分に対してインクジェットヘッド側にずれており、第３ガイドローラが複数個の場合は、前記線分の中間点に近い第３ガイドローラほど前記ずれの量が大きくなっており、前記走行路は、前記用紙が、前記印字区間の全てのガイドローラのインクジェットヘッド側で接して走行するようになっており、かつ、前記用紙が各ガイドローラに接する箇所でインクジェットヘッド側でなくガイドローラ側に曲がっており、前記印字区間で隣接する二つのガイドローラ間には全て、少なくとも一個の前記インクジェットヘッドが走行する用紙の表面と平行に対向するように配置されていることを特徴とするインクジェットプリンタ。
【発明の詳細な説明】
【０００１】
【発明の属する技術分野】
本発明は、インクの噴射により用紙上に印刷を行うインクジェットヘッドを用紙の走行方向に多数配列してなるインクジェットプリンタに関するものである。
【０００２】
【従来の技術】
インクジェットプリンタにあっては、インクジェットヘッドと印字面（用紙面）の間隔を一定に保つことは、印字品質を良好にするための重要な要素である。このため従来のインクジェットプリンタは、特開平５−１２４２８４号公報や特開平６−１９９４５７号公報に示されているように、用紙の走行路を挟んでインクジェットヘッドと平板状のガイド部材とを所定の間隔をあけて対向配置したものが知られている。
【０００３】
【発明が解決しようとする課題】
上記従来のインクジェットプリンタでは、用紙がガイド部材に沿って走行するので、この部分においてインクジェットヘッドと用紙面間の間隔を一定に保つことができるが、用紙の走行方向に多数個のインクジェットヘッドを用いる場合問題があった。
【０００４】
すなわち、用紙の走行方向にインクジェットヘッドを多数個配列した場合、その配列間の全長にわたって平板状のガイド部材を設けることになるが、このガイド部材の両端に配置するガイドローラのガイドスパンが長くなり、この両ガイドローラ間において用紙が上下にバタツキやすく、折角平板状のガイド部材を設けても両ガイドローラ間の中間部に位置するインクジェットヘッドと用紙間の間隔が細かく変動してしまう。
【０００５】
また水性インクを用いた場合、これの水分のため用紙にしわが生じたり紙伸びで用紙がたるんだりして、用紙テンションをいくらかけても用紙を安定走行することができず、このことからもインクジェットヘッドと用紙面の間隔を一定に保つことができなかった。
【０００６】
このことは、上記板状のガイド部材に代えて所定間隔にガイドローラを配置しても、用紙がストレートに走行される場合は全く同様の問題があった。
【０００７】
本発明は上記のことにかんがみなされたもので、用紙の走行方向にインクジェットヘッドが多数個配列されて、印字部分の用紙スパンが長くなっても、この部分での用紙のバタツキをなくし、またインク水分による紙じわや紙伸びによる悪影響を除去することができるようにしたインクジェットプリンタを提供することを目的とするものである。
【０００８】
【課題を解決するための手段】
上記目的を達成するために、本発明に係るインクジェットプリンタは、印字区間の入口側の第１ガイドローラから出口側の第２ガイドローラへの用紙の走行路内に１個又は複数個の第３ガイドローラが配置され、かつ、前記走行路内に、用紙の走行方向に多数個のインクジェットヘッドが配列され、駆動源に連結した第２ガイドローラによって、印字区間での用紙の走行を行うようにしてなるインクジェットプリンタにおいて、第１ないし第３ガイドローラからなる前記印字区間の全てのガイドローラと前記印字区間の全てのインクジェットヘッドとは、前記走行路を基準にして反対側にあり、第３ガイドローラの軸心は、第１ガイドローラの軸心と第２ガイドローラの軸心とを結ぶ線分に対してインクジェットヘッド側にずれており、第３ガイドローラが複数個の場合は、前記線分の中間点に近い第３ガイドローラほど前記ずれの量が大きくなっており、前記走行路は、前記用紙が、前記印字区間の全てのガイドローラのインクジェットヘッド側で接して走行するようになっており、かつ、前記用紙が各ガイドローラに接する箇所でインクジェットヘッド側でなくガイドローラ側に曲がっており、前記印字区間で隣接する二つのガイドローラ間には全て、少なくとも一個の前記インクジェットヘッドが走行する用紙の表面と平行に対向するように配置されている構成になっている。
【０００９】
【作用】
印字区間を走行する用紙は、入口側と出口側のガイドローラを結ぶ線分に対してインクジェットヘッド側へずれた山状になった走行路を走行することになり、この山状の走行路は上記入口側と出口のガイドローラを結ぶ線分より長くなる。これにより用紙にテンションが作用されて、この部分の用紙はたるみが生じることがなく走行される。そしてこの用紙の表面に平行に対向するインクジェットヘッドにて用紙面に印字される。
【００１０】
【発明の実施の形態】
本発明の実施の形態を図面に基づいて説明する。図中１は多数個のインクジェットヘッド２，２，…にて用紙３に、このインクジェットヘッドの数分だけの多数種の印字を行うようにしたインクジェットプリンタである。上記各インクジェットヘッド２，２，…が配置される印字区間Ｓにおける用紙３は、印字区間の入口側のガイドローラ４ａと出口側のガイドローラ４ｂと、この両ガイドローラ４ａ，４ｂの間に、図１に示すように１個、または図２に示すように３個配置された中間のガイドローラ５にて案内されている。上記出口側のガイドローラ４ｂが駆動源に連結された送りローラとなっていて、入口側と出口側のガイドローラ４ａ，４ｂ間を走行する用紙３はこの出口側のガイドローラ４ｂにて送られるようになっている。
【００１１】
上記した各中間のガイドローラ５，５，…は、この各ガイドローラ５と用紙３との接触面が、入口側と出口側の両ガイドローラ４ａ，４ｂの用紙３との各接触面を結ぶ直線状の走行ラインＬに対して一方へずれた位置となるように配置されている。そしてこの中間のガイドローラ５が図２に示すように複数である場合には、用紙３の走行方向の各端部から中間に位置するもの程そのずれ量が大きくなっている。
【００１３】
この構成により、入口側と出口側の両ガイドローラ４ａ，４ｂ間の用紙３は、各中間のガイドローラ５，５，…に対して巻き付き角を有して接触し、この間の用紙は上記直線状の走行ラインＬに対して山状になって走行される。従ってこの山状の走行ラインは上記直線状の走行ラインＬに対して長くなり、この山状の走行ラインには上記直線状の走行ラインＬを走行する場合より大きなテンションが作用される。このとき、出口側のガイドローラ４ｂが駆動源に連結された送りローラになっていることにより、この作用はさらに大きくなる。
【００１４】
上記印字区間Ｓには、上記したような山状の走行ラインを走行する用紙３の走行方向に多数個のインクジェットヘッド２，２，…が、この用紙面に所定の間隔を有し、かつヘッド面が用紙面と平行になるようにて配置されている。この各インクジェットヘッド２，２，…は図示しない支持装置にて、用紙面に対する位置及び姿勢が調節可能に支持されている。
【００１５】
図３は本発明の実施態様の一例である両面印字装置を示すもので、乾燥機７の両側に図２で示したインクジェットプリンタ１ａ，１ｂを縦状にして配置し、一方のインクジェットプリンタ１ａにて一方の用紙面に多数の印字が行われた用紙３は乾燥機７にて乾燥された後、ターンバー装置８にて反転されてから他方のインクジェットプリンタ１ｂにて他方の用紙面に多数の印字を行うようになっている。
【００１６】
この実施態様にあっても、各インクジェットプリンタ１ａ，１ｂにおける用紙３はたるみなく走行されて、それぞれのインクジェットプリンタ１ａ，１ｂにて良好な印字が行われている。
【００１７】
【発明の効果】
本発明によれば、多数のインクジェットヘッドを用紙の走行方向に配列した印字区間内を走行する用紙は、これの入口側と出口側のガイドローラ間において中間ガイドローラにてテンションがかけられる。
【００１８】
従ってインクジェットヘッドの数が多く、上記印字区間の入口側と出口側のガイドローラ間の用紙スパンが長くなっても、この部分での用紙のバタツキがなくなり、またインク水分による用紙じわや紙伸びによる悪影響を除去することができ、インクジェットヘッドを多数配列してなるインクジェットプリンタにおいて、各インクジェットヘッドによる印字を良好に行うことができる。
【図面の簡単な説明】
【図１】本発明の実施の形態を示す概略な構成説明図である。
【図２】本発明の他の実施の形態を示す概略な構成説明図である。
【図３】本発明の他の実施の形態を示す概略な構成説明図である。
【符号の説明】
１，１ａ，１ｂ…インクジェットプリンタ、２…インクジェットヘッド、３…用紙、４ａ，４ｂ，５…ガイドローラ、７…乾燥機、８…ターンバー。
【図１】
0004518584.tif 000002
【図２】
0004518584.tif 000003
【図３】
0004518584.tif 000004